【手続補正書】
【提出日】令和2年7月7日(2020.7.7)
【手続補正１】
【補正対象書類名】特許請求の範囲
【補正対象項目名】全文
【補正方法】変更
【補正の内容】
【特許請求の範囲】
【請求項１】
ビデオデータを復号するための方法であって、前記方法は、
再構築されたビデオユニットがそれから生成される、コーディングされたビデオデータを有する符号化されたビットストリームを受信することと、
前記再構築されたビデオユニットの各々についての複数のフィルタサポートサイズを識別することと、前記複数のフィルタサポートサイズは、幾何学的変換ベースの適応ループフィルタリング（ＧＡＬＦ）スキームのために使用され、前記再構築されたビデオユニットの各々内の分類結果に基づいており、
復号されたビデオ出力を生成するために、前記それぞれの複数のフィルタサポートサイズを使用して、前記再構築されたビデオユニットの各々を、前記ＧＡＬＦスキームの一部として、フィルタすることと
を備える方法。
【請求項２】
前記再構築されたビデオユニットの各々についての複数のフィルタサポートサイズを識別することは、前記再構築されたビデオユニットのうちの１つ内の複数のビデオブロックを分類することを含み、前記分類における複数のクラスの各々は、一意のフィルタサポートサイズに関連付けられている、請求項１に記載の方法。
【請求項３】
前記再構築されたビデオユニットの各々についての複数のフィルタサポートサイズを識別することは、前記再構築されたビデオユニットのうちの１つ内の複数のビデオブロックについて、異なるフィルタサポートサイズを識別することを含み、前記複数のビデオブロックのための前記フィルタサポートサイズの各々は、方向性の値または強方向性の値に関連付けられているか、前記１つの再構築されたビデオユニットから復号される情報に基づいているか、またはこれらの組合せである、請求項１に記載の方法。
【請求項４】
前記コーディングされたビデオデータを有する前記符号化されたビットストリームと共に、各再構築されたビデオユニットについて、前記複数のフィルタサポートサイズの全てに同様に適用されることになるフィルタ長のインジケーションを受信すること、ここにおいて、前記フィルタ長は、前記フィルタリングに関与するサンプルの数に対応し、前記複数のフィルタサポートサイズの各々に適用されることになるフィルタ長の１つまたは複数のインジケーションを受信すること、または、
前記複数のフィルタサポートサイズの各々のインジケーションを受信すること、ここにおいて、前記再構築されたビデオユニットの各々についての前記複数のフィルタサポートサイズを識別することは、前記インジケーションに少なくとも基づく、
をさらに備える、請求項１に記載の方法。
【請求項５】
前記再構築されたビデオユニットのうちの１つにおけるビデオブロックの各サイズについて、前記複数のフィルタサポートサイズは、前記ビデオブロックサイズに関連付けられたフィルタサポートの現在のグループからのものであり、前記現在のグループは、前記現在のグループにおける各フィルタサポートサイズの選択頻度に基づいて動的に更新される、請求項１に記載の方法。
【請求項６】
フィルタ係数の数が、２つの異なるクラスに関連付けられた２つの異なるフィルタサポートサイズの各々について異なるとき、予測コーディングをディセーブルにすることをさらに備え、予測コーディングをディセーブルにすることは、他方のフィルタサポートサイズからの前記２つのフィルタサポートサイズのうちの一方の予測コーディングをディセーブルにすることを含む、請求項１に記載の方法。
【請求項７】
前記再構築されたビデオユニットの各々についての複数のフィルタサポートサイズを識別することは、前記複数のビデオブロックのうちの現在のビデオブロックにおける現在のピクセルの値と、前記現在のピクセルに隣接するピクセルの値とに少なくとも部分的に基づいて、各再構築されたビデオユニット内の複数のビデオブロックを分類することを含み、ここにおいて、前記隣接するピクセルは、好ましくは、
前記現在のピクセルの上、左、下、および右に位置する４つの隣接するピクセル、
前記現在のピクセルの値より大きい値を有する、前記現在のピクセルに隣り合うピクセル、または
前記現在のピクセルの値より小さい値を有する、前記現在のピクセルに隣り合うピクセル
を含む、請求項１に記載の方法。
【請求項８】
ビデオデータを符号化するための方法であって、前記方法は、
複数の再構築されたビデオユニットの各々についての複数のフィルタサポートサイズを識別することと、前記複数のフィルタサポートサイズは、幾何学的変換ベースの適応ループフィルタリング（ＧＡＬＦ）スキームのために使用され、前記再構築されたビデオユニットの各々内の分類結果に基づいており、
復号されたビデオ出力を生成するために、前記それぞれの複数のフィルタサポートサイズを使用して、前記再構築されたビデオユニットの各々を、前記ＧＡＬＦスキームの一部として、フィルタすることと、
前記復号されたビデオ出力を予測プロセスに適用することと
を備える方法。
【請求項９】
各再構築されたビデオユニットは、ビデオスライス、ビデオタイル、ビデオピクチャ、またはビデオフレームに対応する、請求項１または請求項８に記載の方法。
【請求項１０】
前記再構築されたビデオユニットの各々についての複数のフィルタサポートサイズを識別することは、前記再構築されたビデオユニットのうちの１つ内の複数のビデオブロックの各々について、異なるフィルタサポートサイズを識別することを含み、
前記再構築されたビデオユニットの各々をフィルタすることは、前記それぞれのフィルタサポートサイズのうちの１つを使用して、前記１つの再構築されたビデオユニット内の前記複数のビデオブロックの各々をフィルタすることを含み、前記方法は、好ましくは、
前記複数のフィルタサポートサイズの各々のインジケーションを生成することと、
コーディングされたビデオデータを有する符号化されたビットストリームと共に、前記インジケーションを送信することとをさらに備える、
請求項１または請求項８に記載の方法。
【請求項１１】
前記再構築されたビデオユニットの各々についての複数のフィルタサポートサイズを識別することは、各再構築されたビデオユニット内の複数のビデオブロックを分類することを含み、
前記分類に関連付けられた異なるクラスの間でマージすることは、フィルタ係数の数が、２つの異なるクラスに関連付けられた２つの異なるフィルタサポートサイズの各々について同じであるときに適用可能である、
請求項１または請求項８に記載の方法。
【請求項１２】
幾何学的変換のグループから４５度回転を有する幾何学的変換を識別することをさらに備え、ここにおいて、前記幾何学的変換は、前記フィルタすることに関連して前記複数のフィルタサポートサイズのそれぞれ１つのフィルタ係数に適用される、請求項１または請求項８に記載の方法。
【請求項１３】
前記再構築されたビデオユニットの各々についての複数のフィルタサポートサイズを識別することは、現在の行のエネルギー、現在の列のエネルギー、隣接する行のエネルギー、または隣接する列のエネルギーのうちの１つまたは複数を評価することに少なくとも部分的に基づいて、各再構築されたビデオユニット内の複数のビデオブロックを分類することを含む、請求項１または請求項８に記載の方法。
【請求項１４】
前記再構築されたビデオユニットの各々についての複数のフィルタサポートサイズを識別することは、前記複数のビデオブロックのうちの現在のビデオブロックにおける現在のピクセルの値と、前記現在のピクセルに隣接するピクセルの値とに少なくとも部分的に基づいて、各再構築されたビデオユニット内の複数のビデオブロックを分類することを含む、請求項８に記載の方法。
【請求項１５】
ビデオデータをコーディングするためのデバイスであって、前記デバイスは、
命令を記憶するように構成されたメモリと、
請求項１〜１４のうちのいずれか一項に記載の方法を行うための前記命令を実行するように構成されたプロセッサと
を備えるデバイス。